(57)【要約】【課題】エアバッグ用ドア構造の信頼性を向上させること。【解決手段】エアバッグ用ドア構造１は、面部材２ａに、略Ｈ字状又は略コ字状の開裂溝２ｂを形成してなるドア部材２と、面部材２ａから垂直方向に延びる側壁部材３と、を備えている。また、側壁部材３の内部に収納されたエアバッグが膨張することで、開裂溝２ｂに沿って、ドア部材２が開裂する。側壁部材３に形成された角部３ｃには、側壁部材３に対して、外側へ膨出する膨出部３ｄが形成されている。【選択図】図１
2007210449.tif 000002
【特許請求の範囲】
【請求項１】
面部材に、略Ｈ字状又は略コ字状の開裂溝を形成してなるドア部材と、前記面部材から垂直方向に延びる側壁部材と、を備え、
前記側壁部材の内部に収納されたエアバッグが膨張することで、前記開裂溝に沿って、前記ドア部材が開裂するエアバッグ用ドア構造であって、
前記側壁部材に形成された角部には、前記側壁部材に対して、外側へ膨出する膨出部が形成されている、ことを特徴とするエアバッグ用ドア構造。
【請求項２】
請求項１記載のエアバッグ用ドア構造であって、
前記膨出部は、前記ドア部材のヒンジ線の方向へ膨出している、ことを特徴とするエアバッグ用ドア構造。
【請求項３】
請求項１又は２記載のエアバッグ用ドア構造であって、
前記膨出部は、車両幅方向へ膨出している、ことを特徴とするエアバッグ用ドア構造。
【請求項４】
請求項１乃至３のうちいずれか１項記載のエアバッグ用ドア構造であって、
前記略Ｈ字状又は略コ字状の開裂溝の終端部は、前記膨出部が膨出する方向と同一の方向へ延びている、ことを特徴とするエアバッグ用ドア構造。
【請求項５】
面部材に、略直線状の開裂溝をヒンジ線の方向へ形成してなる一対のドア部材と、
前記一対のドア部材に立設され、対向する一対の側壁面と、を備え、
前記一対の側壁面間に収納されたエアバッグが膨張することで、前記開裂溝に沿って、前記一対のドア部材が開裂する、ことを特徴とするエアバッグ用ドア構造。
【発明の詳細な説明】
【技術分野】
【０００１】
本発明は、内部にエアバッグが収納され、エアバッグ展開時に開放するドア部材を有するエアバッグ用ドア構造に関する。
【背景技術】
【０００２】
従来、エアバッグドアの裏面に形成した略Ｈ型の開裂溝の終端部に、エアバッググリッドの肉厚中間部に至る深さの開裂エネルギー吸収溝を開裂溝に連続して形成したリッド構造が知られている（例えば、特許文献１参照）。
【特許文献１】特開２０００−７１９１５号公報
【発明の開示】
【発明が解決しようとする課題】
【０００３】
しかしながら、上記従来のリッド構造において、開裂エネルギー吸収溝は、エアバッグドアのヒンジ線の方向、かつ内側へ形成されている。したがって、エアバッグ膨張時において、エアバッグドアに対してエアバッグの膨張衝撃力が加わると、開裂エネルギー吸収溝近傍に応力集中が発生する虞がある。これにより、エアバッグドアの破断等の虞がある。
【０００４】
本発明はこのような課題を解決するためのものであり、エアバッグ用ドア構造の信頼性を向上させることを主たる目的とする。
【課題を解決するための手段】
【０００５】
上記目的を達成するための本発明の一態様は、
面部材に、略Ｈ字状又は略コ字状の開裂溝を形成してなるドア部材と、前記面部材から垂直方向に延びる側壁部材と、を備え、
前記側壁部材の内部に収納されたエアバッグが膨張することで、前記開裂溝に沿って、前記ドア部材が開裂するエアバッグ用ドア構造であって、
前記側壁部材に形成された角部には、前記側壁部材に対して、外側へ膨出する膨出部が形成されている、ことを特徴とするエアバッグ用ドア構造である。
【０００６】
この一態様によれば、側壁部材に形成された角部には、側壁部材に対して、外側へ膨出する膨出部が形成されている。これにより、エアバッグの膨出力を受けたドア部材は、略Ｈ字状又は略コ字状の開裂溝に沿って円滑に開裂される。さらに、この開裂時において、開裂溝の終端部近傍において、応力集中が生じないように膨出部が形成されていることから、ドア部材の破断を確実に防止することができる。すなわち、エアバッグ用ドア構造の信頼性を向上させることができる。
【０００７】
また、この一態様において、前記膨出部は、前記ドア部材のヒンジ線の方向へ膨出していてもよい。
【０００８】
さらに、この一態様において、前記膨出部は、例えば、車両幅方向へ膨出していてもよい。
【０００９】
なお、この一態様において、前記略Ｈ字状又は略コ字状の開裂溝の終端部は、前記膨出部が膨出する方向と同一の方向へ延びていてもよい。
【００１０】
上記目的を達成するための本発明の一態様は、
面部材に、略直線状の開裂溝をヒンジ線の方向へ形成してなる一対のドア部材と、
前記一対のドア部材に立設され、対向する一対の側壁面と、を備え、
前記一対の側壁面間に収納されたエアバッグが膨張することで、前記開裂溝に沿って、前記一対のドア部材が開裂する、ことを特徴とするエアバッグ用ドア構造であってもよい。
【００１１】
この一態様によれば、エアバッグの膨出力を受けたドア部材は、略直線の開裂溝に沿って円滑に開裂される。さらに、この開裂時において、ドア部材において、応力集中が生じ難いことから、ドア部材の破断を簡易な構造で、確実に防止することができる。すなわち、エアバッグ用ドア構造の信頼性を向上させることができる。
【発明の効果】
【００１２】
本発明によれば、エアバッグ用ドア構造の信頼性を向上させることができる。
【発明を実施するための最良の形態】
【００１３】
以下、本発明を実施するための最良の形態について、添付図面を参照しながら実施例を挙げて説明する。
【００１４】
（第１の実施の形態）
図１は、本発明の第１の実施の形態に係るエアバッグ用ドア構造の概略を示す斜視図である。図２は、図１示すエアバッグ用ドア構造のドア部材及び側壁部材を直線Ａ−Ａ′で切断した際の拡大断面図である。図３（ａ）は、図１に示すＢ部分を拡大した部分拡大図であり、側壁部材の角部に形成された膨出部を示す図である。図３（ｂ）は、図３（ａ）に示す膨出部をＣ方向から見た図である。
【００１５】
図１に示す如く、本実施の形態に係るエアバッグ用ドア構造１において、ドア部材２は面部材２ａに、略Ｈ字状に形成された開裂溝２ｂを形成してなる。また、側壁部材３は面部材２ａから垂直方向に延びる、４つの側壁面３ａからなる。
【００１６】
なお、側壁部材３及びドア部材２は、一体で形成されているが、別体で形成されていてもよい。また、開裂溝２ｂは略Ｈ字状に形成されているが、略コ字状に形成されていてもよい。
【００１７】
ドア部材２は、開裂溝２ｂに沿って開裂することで、２枚のドア部２ｃがヒンジ部（ヒンジ線）２ｄを中心に回動し、両開きで開放状態となる。ヒンジ部２ｄは、断面が略Ｌ字状に湾曲している（図２）。したがって、ドア部材２のドア部２ｃは、ヒンジ部２ｄを中心にして、スムーズに開放する。
【００１８】
なお、開裂溝２ｂが略Ｈ字状に形成され、ドア部材２が両開きとなることで、ドア部２ｃが開放したときに、ドア部２ｃが周辺部材（例えば、ウインドシールド）に干渉するのを確実に防止することができる。また、開裂溝２ｂが、上述の如く、略コ字状に形成された場合、ドア部材は１枚開きとなる。
【００１９】
ヒンジ部２ｄに沿った位置にある側壁面３ａには、略矩形状に開口する４つの開口部３ｂが夫々形成されているが、形成される開口部３ｂの数及び位置は、任意でよい。
【００２０】
隣接する側壁面３ａ同士が接続されてなる側壁部材３の角部（コーナ部）３ｃは、ドア部材２の面部材２ａに対して、垂直方向に延びている。
【００２１】
側壁部材３の角部３ｃには、側壁面３ａに対して外側、かつドア部２ｃのヒンジ部（ヒンジ線）２ｄの方向へ膨出する膨出部３ｄが形成されている。なお、膨出部３ｄは、側壁面３ａに対して外側、かつドア部２ｃのヒンジ部２ｄに対し垂直方向へ膨出するように形成されていてもよい。
【００２２】
ドア部材２の面部材２ａに形成された略Ｈ字状の開裂溝２ｂの４つの終端部２ｅは、膨出部３ｄが膨出する方向と同一方向、すなわち、側壁面３ａに対して外側、かつドア部２ｃのヒンジ部２ｄの方向へ延びている。
【００２３】
上述のように構成されたドア部材２及び側壁部材３の内部には、周知のエアバッグ装置が収納されている。また、エアバッグ装置は、主要な構成として、衝突の衝撃が検知されるとガスを発生させるインフレータと、インフレータから発生したガスが内部に導入され、膨張するエアバッグと、これらを収納するエアバッグケースと、を有している。
【００２４】
エアバッグ装置のエアバッグが膨張すると、エアバッグの膨出力を受けたドア部材２は、Ｈ字状の開裂溝２ｂに沿って開裂し、ドア部２ｃが開放する。
【００２５】
ところで、衝突事故等による衝撃から乗員保護を目的として、上述した運転席用のエアバッグ装置及び助手席用のエアバッグ装置が車両に搭載される。このうち、助手席用のエアバッグ装置１１は、例えば、図４に示す如く、乗員室前方に組付けた車両内装部材としてのインストルメントパネル１０の内部に格納した状態で搭載されている。
【００２６】
また、ドア部材２の面部材２ａの表側（ドア部２ｃが開放される側）が、例えば、車両の助手席側に配設されるインストルメントパネル１０の芯材の裏側に取り付けられる。この場合、側壁部材３の角部３ｃに形成された膨出部３ｄは、車両幅方向へ膨出している。
【００２７】
次に、本実施の形態に係るエアバッグ用ドア構造１の作用について、説明する。
【００２８】
例えば、衝突の衝撃が検知されると、エアバッグ装置１１のインフレータからガスが発生し、エアバッグの内部に導入される。エアバッグの内部にガスが導入されると、エアバッグは膨張、展開する。このとき、エアバッグの膨出力により、ドア部材２は略Ｈ字状の開裂溝２ｂに沿って開裂し、２枚のドア部２ｃは開放する。ドア部２ｃが開放する際、インストルメントパネル１０はドア部２ｃによって開裂し、膨張したエアバッグがインストルメントパネル１０から膨出し、乗員を保護する。
【００２９】
第１の実施の形態に係るエアバッグ用ドア構造１において、側壁部材３の角部３ｃには、側壁面３ａに対して外側、かつドア部２ｃのヒンジ部２ｄの方向へ膨出する膨出部３ｄが形成されている。また、ドア部材２に形成された略Ｈ字状の開裂溝２ｂの４つの終端部２ｅは、側壁面３ａに対して外側、かつドア部２ｃのヒンジ部２ｄの方向へ延びている。これにより、エアバッグの膨出力を受けたドア部材２は、略Ｈ字状の開裂溝２ｂに沿って円滑に開裂される。さらに、この開裂時において、開裂溝２ｂの終端部２ｅ近傍において、応力集中が生じないように膨出部３ｄが形成されていることから、ドア部材２の破断を確実に防止することができる。すなわち、エアバッグ用ドア構造１の信頼性を向上させることができる。
【００３０】
次に、本実施の形態の変形例について説明する。
【００３１】
図５（ａ）は、第１の実施の形態の変形例に係るエアバッグ用ドア構造の概略を示す斜視図である。図５（ｂ）は、図５（ａ）に示すエアバッグ用ドア構造をＤ方向から見た図である。
【００３２】
上記実施の形態において、隣接する側壁面３０ａと側壁面３０ａとの間に隙間３０ｂを設けるように構成してもよい。すなわち、第１の実施の形態に係るエアバッグ用ドア構造１において、側壁部材３の角部３ｃがない構成であってもよい。
【００３３】
これにより、開裂溝２０ｂの終端部２０ｅ近傍において、応力集中が生じ難い構造となることから、ドア部材２０の破断を確実に防止することができる。すなわち、エアバッグ用ドア構造１の信頼性を向上させることができる。
【００３４】
（第２の実施の形態）
図６は、本発明の第２の実施の形態に係るエアバッグ用ドア構造の概略を示す斜視図である。
【００３５】
図６に示す如く、本実施の形態に係るエアバッグ用ドア構造４０は、面部材４１ａに、略直線状の開裂溝４１ｂをヒンジ線４１ｃの方向へ形成してなる一対のドア部材４１と、一対のドア部材４１に立設され、対向する一対の側壁面４２と、を備えている。
【００３６】
内部に収納されたエアバッグが膨張すると、一対のドア部材４１は略直線状の開裂溝４１ｂに沿って開裂し、ヒンジ線４１ｃを中心に回動することで、両開きで開放状態となる。これにより、エアバッグの膨出力を受けたドア部材４１は、略直線状の開裂溝４１ｂに沿って円滑に開裂される。さらに、この開裂時において、ドア部材４１に応力集中が生じ難いことから、ドア部材４１の破断を簡易な構造で確実に防止することができる。すなわち、エアバッグ用ドア構造４０の信頼性を向上させることができる。
【００３７】
以上、本発明を実施するための最良の形態について実施例を用いて説明したが、本発明はこうした実施例に何等限定されるものではなく、本発明の要旨を逸脱しない範囲内において、上述した実施例に種々の変形及び置換を加えることができる。
【００３８】
例えば、上記第１及び第２の実施の形態において、エアバッグ用ドア構造１、４０は、運転席用又は助手席用のエアバッグ装置１１に適用されているが、例えば、ドアトリムに設けたサイドエアバッグ用のエアバッグドア、ピラーガーニッシュやルーフサイドパネルに設けたカーテンエアバッグ用のエアバッグドア、乗員の足部を保護するニーエアバッグ用のエアバッグドア等の任意の位置に配設されるエアバッグに適用可能である。
【産業上の利用可能性】
【００３９】
本発明は、例えば、内部に収納されたエアバッグが展開し、ドア部材が開放するエアバッグ用ドア構造に利用できる。
【図面の簡単な説明】
【００４０】
【図１】本発明の第１の実施の形態に係るエアバッグ用ドア構造の概略を示す斜視図である。
【図２】図１示すエアバッグ用ドア構造のドア部材及び側壁部材を直線Ａ−Ａ′で切断した際の断面図である。
【図３】（ａ）図１に示すＡ部分を拡大した部分拡大図であり、側壁部材の角部に形成された膨出部を示す図である。（ｂ）図３（ａ）に示す膨出部をＢ方向から見た図である。
【図４】助手席用のエアバッグ装置がインストルメントパネルの内部に格納された状態の一例を示す図である。
【図５】（ａ）第１の実施の形態の変形例に係るエアバッグ用ドア構造の概略を示す斜視図である。（ｂ）図５（ａ）に示すエアバッグ用ドア構造をＤ方向から見た図である。
【図６】本発明の第２の実施の形態に係るエアバッグ用ドア構造の概略を示す斜視図である。
【符号の説明】
【００４１】
１    エアバッグ用ドア構造
２    ドア部材
２ａ  面部材
２ｂ  開裂溝
２ｃ  ドア部
２ｄ  ヒンジ部
２ｅ  終端部
３    側壁部材
３ａ  側壁面
３ｂ  開口部
３ｃ  角部
３ｄ  膨出部
【図１】
2007210449.tif 000003
【図２】
2007210449.tif 000004
【図３】
2007210449.tif 000005
【図４】
2007210449.tif 000006
【図５】
2007210449.tif 000007
【図６】
2007210449.tif 000008